(57)【要約】【課題】固定金具を軽量埋込体に固定する箇所を増やすことで、この軽量埋込体の横揺れを防止して固定金具を軽量埋込体に強固に固定する。【解決手段】コンクリート内に埋設する軽量材からなる軽量埋込体２内に差し込むために、先端部３ａが下向きになるように板材を、横断面が下向きの略コ字形状になるように曲折した取付金具本体３と、この取付金具本体３の水平部３ｂに取り付けた、先端に返し部４ａを形成した補助金具４とから成り、軽量埋込体２を複数並列させて支持筋５に固定する際に使用する。【選択図】図１
2007113337.tif 000002
【特許請求の範囲】
【請求項１】
コンクリート内に埋設する軽量材からなる軽量埋込体（２）を、支持筋（５）に固定するコンクリートスラブ用軽量埋込体固定金具（１）であって、
前記軽量埋込体（２）内に差し込むために、先端部（３ａ）が下向きになるように板材を、横断面が下向きの略コ字形状に曲折した取付金具本体（３）と、
前記取付金具本体（３）の水平部（３ｂ）に取り付けた、先端に返し部（４ａ）を形成した補助金具（４）と、から成る、ことを特徴とするコンクリートスラブ用軽量埋込体固定金具。
【請求項２】
前記補助金具（４）は、その板材の上端を略Ｌ字状に曲折し、板材の下端を鋭角に曲折して返し部（４ａ）を形成したものである、ことを特徴とする請求項１のコンクリートスラブ用軽量埋込体固定金具。
【請求項３】
前記補助金具（４）は、その上端を前記取付金具本体（３）の水平部（３ｂ）に着脱自在に取り付けた、ことを特徴とする請求項１又は２のコンクリートスラブ用軽量埋込体固定金具。
【請求項４】
前記補助金具（４）は、前記取付金具本体（３）の水平部（３ｂ）の長手方向と直交するように取り付けたものである、ことを特徴とする請求項１、２又は３のコンクリートスラブ用軽量埋込体固定金具。
【請求項５】
縦横に配筋した上端筋と下端筋との間の空間に軽量材からなる軽量埋込体（２）を並列させ、コンクリートを打設することにより軽量埋込体（２）をコンクリートスラブ（２１）内に埋設するコンクリートボイドスラブ工法であって、
前記コンクリートスラブ（２１）内において、その高低差が異なる段差があり、その高低差が長い空間（ｘ）では、球状の球体埋込体（２２）を配置し、
高低差が短い空間（ｙ）では、扁平状の球体からなる扁平埋込体（２３）を配置する、ことを特徴とするコンクリートボイドスラブ工法。
【請求項６】
前記高低差が短い空間（ｙ）において、平面形状は略円形状になり、側面形状は楕円形状からなる扁平埋込体（２３）を配置する、ことを特徴とする請求項５のコンクリートボイドスラブ工法。
【請求項７】
前記高低差が短い空間（ｙ）において、平面形状は略円形状になり、側面形状は長円形状からなる扁平埋込体（２３）を配置する、ことを特徴とする請求項５のコンクリートボイドスラブ工法。
【発明の詳細な説明】
【技術分野】
【０００１】
本発明は、建築物の鉄筋コンクリート中空スラブ内に埋設する軽量材から成る軽量埋込体を固定する埋込体固定金具及びコンクリートボイドスラブ工法に関するものである。
【背景技術】
【０００２】
従来から軽量材からなる埋込体をコンクリート内に埋設するコンクリート中空スラブ工法が知られている。これは、軽量材から成る埋込体を型枠板の上面であって縦横に配筋した上端筋及び下端筋の間に並べ、ここにコンクリートを打設する工法である。これにより、埋込体が埋設された部分にコンクリート内における中空部が形成され、コンクリートスラブの軽量化を図ると共に遮音性等を向上させる。
【０００３】
このようなコンクリート内に埋込体を埋設する技術が種々提案されている。例えば特許文献１の特開２００３−３２１８９４公報「平面格子中空コンクリートスラブ及び押さえ金物」のように、埋込体として中空コンクリートスラブとこれに用いる押さえ金物が提案されている。
【０００４】
この特許文献１の押さえ金物は、隣り合う上端筋の間に平行に配置される少なくとも２本の補助筋と、補助筋に下向きに固着された複数のユニットで構成され、このユニットは格子状に配筋された上端筋が形成する小空間に装入され、軽量球体をこの小空間の所定位置に固定するようにしたものである。
【特許文献１】特開２００３−３２１８９４
【０００５】
軽量埋込体を固定する取付金具としては、図７（ａ），（ｂ）に示すように、球状に形成した軽量埋込体５１に断面が略コ字形状の取付金具５２をその両先端から差し込み、この取付金具５２を２本の支持筋５３に間隔をあけて取り付けていた。
【発明の開示】
【発明が解決しようとする課題】
【０００６】
しかし、支持筋５３に間隔をあけて取り付けた略コ字形状の取付金具５２は、図７（ｂ）の側面図に示すように、軽量埋込体５１の差込孔にその両先端部から差し込んでいるだけで、この取付金具５２が軽量埋込体５１で横揺れしたり、軽量埋込体５１が取付金具５２から簡単に抜けやすくなるという問題を有していた。
【０００７】
このように一旦軽量埋込体５１が外れやすくなった取付金具５２は、これを上端筋及び下端筋の間に配置する際にも、軽量埋込体５１が外れて作業のやり直しが多くなり配置作業が煩雑になりやすいという問題を有していた。
【０００８】
また、コンクリートスラブ２１内において、その高低差が異なり段差がある空間では、図８と図９に示すように、高低差が長い空間ｘでは、球状の軽量埋込体５１ａを配置し、高低差が短い空間ｙでは、この軽量埋込体５１ａより小さい小形軽量埋込体５１ｂを、通常の軽量埋込体２と同じように等間隔に配置していた。このときに高低差が短い空間ｙに配置する小形軽量埋込体５１ｂについて、通常の軽量埋込体５１ａと同じように等間隔に配置すると、小形軽量埋込体５１ｂ同士の離間距離が長くなり、コンクリートスラブの軽量化が図れないという問題を有していた。
【０００９】
本発明は、かかる問題点を解決するために創案されたものである。すなわち、本発明の目的は、固定金具を軽量埋込体に固定する箇所を増やすことで、この軽量埋込体の横揺れを防止して固定金具を軽量埋込体に強固に固定すること、また、段差のあるコンクリートスラブ内では、扁平形状の軽量埋込体を用いることで、コンクリート内に中空部を均等に形成し、その軽量化を図ることができる埋込体固定金具及びコンクリートボイドスラブ工法を提供することにある。
【課題を解決するための手段】
【００１０】
本発明の固定金具によれば、コンクリート内に埋設する軽量材からなる軽量埋込体（２）を、支持筋（５）に固定するコンクリートスラブ用軽量埋込体固定金具（１）であって、前記軽量埋込体（２）内に差し込むために、先端部（３ａ）が下向きになるように板材を、横断面が下向きの略コ字形状に曲折した取付金具本体（３）と、前記取付金具本体（３）の水平部（３ｂ）に取り付けた、先端に返し部（４ａ）を形成した補助金具（４）と、から成る、ことを特徴とするコンクリートスラブ用軽量埋込体固定金具が提供される。
【００１１】
前記補助金具（４）は、その板材の上端を略Ｌ字状に曲折し、板材の下端０を鋭角に曲折して返し部（４ａ）を形成したものである。
前記補助金具（４）は、その上端を前記取付金具本体（３）の水平部（３ｂ）に着脱自在に取り付けることが好ましい。
前記補助金具（４）は、前記取付金具本体（３）の水平部（３ｂ）の長手方向と直交するように取り付けたものである。
【００１２】
本発明の工法によれば、縦横に配筋した上端筋と下端筋との間の空間に軽量材からなる軽量埋込体（２）を並列させ、コンクリートを打設することにより軽量埋込体（２）をコンクリートスラブ（２１）内に埋設するコンクリートボイドスラブ工法であって、前記コンクリートスラブ（２１）内において、その高低差が異なる段差があり、その高低差が長い空間（ｘ）では、球状の球体埋込体（２２）を配置し、高低差が短い空間（ｙ）では、扁平状の球体からなる扁平埋込体（２３）を配置する、ことを特徴とするコンクリートボイドスラブ工法が提供される。
【００１３】
例えば、前記高低差が短い空間（ｙ）において、平面形状は略円形状になり、側面形状は楕円形状又は長円形状からなる扁平埋込体（２３）を配置する。
【発明の効果】
【００１４】
上述したように、本発明の固定金具（１）では、軽量埋込体（２）における取付金具本体（３）先端部（３ａ）の２点固定に加えて、補助金具（４）によりその固定箇所を「２点」から「３点」に増大したので横揺れを防止できると共に、この固定金具（１）を軽量埋込体（２）に強固に固定することができる。補助金具（４）の下端には、返し部（４ａ）が形成されているので、固定金具（１）が軽量埋込体（２）から抜けないようになる。特に、取付金具本体（３）の水平部（３ｂ）の長手方向と直交するように取り付けた補助金具（４）から成る固定金具（１）では、更に軽量埋込体（２）に強固に固定することができる。
【００１５】
補助金具（４）の上端を取付金具本体（３）の水平部（３ｂ）に着脱自在に取り付けた固定金具（１）では、この固定金具（１）を軽量埋込体（２）から外すときは、補助金具（４）を軽量埋込体（２）を差し込んだ状態で、取付金具本体（３）のみを引き抜くことも可能である。
【００１６】
本発明の工法では、コンクリートスラブ（２１）全面に、同大同形状の軽量埋込体（２）を埋め込む必要はなく、段差のあるコンクリートスラブ（２１）内では、球状の球体埋込体（２２）と扁平状の扁平埋込体（２３）との２種類の軽量埋込体（２）を用いることで、コンクリート内に中空部を均等に形成することができ、コンクリートスラブの軽量化を図ることができる。
【発明を実施するための最良の形態】
【００１７】
本発明の固定金具は、軽量埋込体内に差し込むために、先端部が下向きになるように板材を、横断面が下向きの略コ字形状に曲折した取付金具本体に補助金具を取り付けた軽量埋込体固定金具である。
本発明の工法は、段差があるコンクリートスラブ内において、高低差が長い空間では、球状の球体埋込体を配置し、高低差が短い空間では、扁平状の球体からなる扁平埋込体を配置する工法である。
【実施例１】
【００１８】
以下、本発明の好ましい実施の形態を図面を参照して説明する。
図１は実施例１の軽量埋込体固定金具を示すものであり、（ａ）は正面図、（ｂ）は一部切欠いた側面図、（ｃ）は補助金具の側面図、（ｄ）は補助金具を固定金具本体に組み付ける状態の正面図である。図２は実施例１の固定金具を軽量埋込体に差し込む状態の正面図である。図３は実施例１の固定金具を軽量埋込体に差し込んだ状態の正面図である。
本発明のコンクリートスラブ用軽量埋込体固定金具１は、コンクリート内に埋設する軽量材からなる複数の軽量埋込体２と、この軽量埋込体２内に差し込むために先端部３ａが下向きになるように板材を横断面が下向きの略コ字形状に曲折した取付金具本体３と、この取付金具本体３の水平部３ｂに、先端に返し部４ａを形成した補助金具４を取り付けたものである。この軽量埋込体２は、発泡スチロールのような軽量な発泡樹脂材からなる。この固定金具１は、間隔をあけて２本の線材を並行に並べた支持筋５に取り付けて軽量埋込体２の連設体とする。
【００１９】
補助金具４は、図１（ｃ）に示すように、その板材の上端を略Ｌ字状に曲折し、板材の下端を鋭角に曲折して返し部４ａを形成したものである。この返し部４ａは、図示例では、約３０度程度になっているが、軽量埋込体２に開けた挿入孔６の径に応じて決定される。補助金具４の上端は、取付金具本体３の水平部３ｂに、ネジ７等で着脱自在に取り付ける。この取付手段は、着脱自在であればネジ７以外に嵌合式がある。また、補助金具４を取付金具本体３に固着するときは、溶接や接着剤で固定することができる。
【００２０】
補助金具４の上端を取付金具本体３の水平部３ｂに着脱自在に取り付けた固定金具１では、この固定金具１を軽量埋込体２から外すときは、補助金具４を取付金具本体３から外し、補助金具４は軽量埋込体２に差し込んだ状態で取付金具本体３のみを引き抜くことができる。
【００２１】
このように、構成した固定金具１では、軽量埋込体２における取付金具本体３先端部３ａの２点固定に加えて、補助金具４によりその固定箇所を「２点」から「３点」に増大したので横揺れを防止できると共に、この固定金具１を軽量埋込体２に強固に固定することができる。補助金具４の下端に返し部４ａが形成されているので、固定金具１が軽量埋込体２から抜けないようになる。特に、取付金具本体３の水平部３ｂの長手方向と直交するように取り付けた補助金具４では、更に軽量埋込体２に固定金具１を強固に固定することができる。
【００２２】
このように構成した固定金具１を用いて固定した軽量埋込体２の連設体は、型枠板の上面であって縦横に配筋した上端筋及び下端筋の間に配置し、その後コンクリートを打設する。この軽量埋込体２は埋設された部分にコンクリート内に中空部が形成され、コンクリートスラブの軽量化を図ることができる。
【実施例２】
【００２３】
図４は実施例２のコンクリートボイドスラブ工法による軽量埋込体をコンクリートスラブ内に埋設する状態のものであり、（ａ）は正面図、（ｂ）は平面図である。
実施例２の工法は、コンクリートスラブ２１内において、その高低差が異なる段差があるときのコンクリートボイドスラブ工法である。この工法は、縦横に配筋した上端筋と下端筋との間の空間に軽量材からなる軽量埋込体２を並列させ、コンクリートを打設することにより軽量埋込体２をコンクリートスラブ２１内に埋設する際に、高低差が長い空間ｘでは、球状の球体埋込体２２を配置し、高低差が短い空間ｙでは、扁平状の扁平埋込体２３を配置してからコンクリートを打設する。
【００２４】
このように、コンクリートスラブ２１全面に同大同形状の軽量埋込体２を埋め込むのではなく、段差のあるコンクリートスラブ２１内では、球状の球体埋込体２２と扁平状の扁平埋込体２３との２種類の軽量埋込体２を用いる。そこで、コンクリート内に中空部を均等に形成することができ、コンクリートスラブの軽量化を図れる。
【００２５】
図５は実施例２の工法に用いる扁平埋込体を示すものであり、（ａ）は正面図、（ｂ）は側断面図、（ｃ）は平面図、（ｄ）は正断面図である。
実施例２の工法において高低差が短い空間ｙに用いる扁平埋込体２３は、例えば、平面形状は略円形状になり（図５（ｃ）参照）であるが、側面形状は楕円形状からなるように形成したものである（図５（ａ）、（ｂ）、（ｄ）参照）。なお、球状の球体埋込体２２と併用することで、コンクリート内に中空部が均等に形成できる形状であれば、軽量埋込体の側面形状が楕円形状のものに限定されない。例えば、軽量埋込体の側面形状が長円形状ものも利用できる。更に、コンクリートの流動性を妨げないように角にアールを形成した扁平形状のもであれば、種々の形状の軽量埋込体を用いることができる。
【００２６】
図６は実施例２のコンクリートボイドスラブ工法による軽量埋込体をコンクリートスラブ内に埋設する他の状態の正面図である。
実施例２のコンクリートボイドスラブ工法では、球状の球体埋込体２２と扁平状の扁平埋込体２３との２種類の軽量埋込体２に限定されず、扁平状の扁平埋込体２３の厚みが異なる扁平埋込体２３を用いることができる。例えば、コンクリートスラブ２１内の段差が２段階あるときは、図示するように、各空間ｘ、ｙ、ｚに応じて、１種類の球体埋込体２２と２種類の扁平埋込体２３を用いることも可能である。
【００２７】
なお、本発明は上述した発明の実施の形態に限定されず、固定金具１を軽量埋込体２に固定する箇所を増やすことで、この軽量埋込体２の横揺れを防止して固定金具１を軽量埋込体２に強固に固定することができる構成であれば、図示したような構成に限定されず、本発明の要旨を逸脱しない範囲で種々変更できることは勿論である。
また、段差のあるコンクリートスラブ２１内では、扁平の軽量埋込体（扁平埋込体２３）を用いることで、コンクリート内に中空部を均等に形成し、その軽量化を図ることができる構成であれば、図示したような方法に限定されず、本発明の要旨を逸脱しない範囲で種々変更できることは勿論である。
【産業上の利用可能性】
【００２８】
本発明の埋込体固定金具及びコンクリートボイドスラブ工法は、コンクリートスラブを軽量化するために、このコンクリートスラブ内に埋設するだけでなく、その他の打設するコンクリートを軽量化するような様々な用途に利用することができる。
【図面の簡単な説明】
【００２９】
【図１】実施例１の軽量埋込体固定金具を示すものであり、（ａ）は正面図、（ｂ）は一部切欠いた側面図、（ｃ）は補助金具の側面図、（ｄ）は補助金具を固定金具本体に組み付ける状態の正面図である。
【図２】実施例１の固定金具を軽量埋込体に差し込む状態の正面図である。
【図３】実施例１の固定金具を軽量埋込体に差し込んだ状態の正面図である。
【図４】実施例２のコンクリートボイドスラブ工法による軽量埋込体をコンクリートスラブ内に埋設する状態のものであり、（ａ）は正面図、（ｂ）は平面図である。
【図５】実施例２の工法に用いる扁平埋込体を示すものであり、（ａ）は正面図、（ｂ）は側断面図、（ｃ）は平面図、（ｄ）は正断面図である。
【図６】実施例２のコンクリートボイドスラブ工法による軽量埋込体をコンクリートスラブ内に埋設する他の状態の正面図である。
【図７】従来の軽量埋込体を固定する取付金具を示すものであり、（ａ）は取付金具を軽量埋込体に差し込む状態の側面図、（ｂ）は取付金具を軽量埋込体に差し込んだ状態の正面図である。
【図８】従来のコンクリートボイドスラブ工法による軽量埋込体をコンクリートスラブ内に埋設する状態の説明する正面図である。
【図９】従来のコンクリートボイドスラブ工法による軽量埋込体をコンクリートスラブ内に埋設する状態の説明する平面配置図である。
【符号の説明】
【００３０】
１  固定金具
２  軽量埋込体
３  取付金具本体
３ａ  先端部
３ｂ  水平部
４  補助金具
４ａ  返し部
５  支持筋
２１  コンクリートスラブ
２２  球体埋込体
２３  扁平埋込体
ｘ  高低差が長い空間
ｙ  高低差が短い空間
【図１】
2007113337.tif 000003
【図２】
2007113337.tif 000004
【図３】
2007113337.tif 000005
【図４】
2007113337.tif 000006
【図５】
2007113337.tif 000007
【図６】
2007113337.tif 000008
【図７】
2007113337.tif 000009
【図８】
2007113337.tif 000010
【図９】
2007113337.tif 000011